(57)【特許請求の範囲】
【請求項１】
一方端に吸込口、他方端に吐出口を有するケーシングには、このケーシングに架承したモータと、このモータに設けた回転軸と、この回転軸に固止した回転羽根を設けるとともに、このケーシングには、間隔をおいて設けた基端側が閉塞された噴霧用の筒体と、この筒体に隙間を置いて内設した環状体と、この環状体に環状端部を近接して設けた回転板と、この回転板を回転するモータを設け、また、ケーシングには、前記回転板に向って、水を圧送するポンプを付設する構成とした遠心噴霧装置であって、
前記環状体には、この環状体の円周面（Ｘ面）の長手方向に対して、９０°の曲がり（Ｙ）で立設する多数枚の傾斜突条、及びこの多数枚の傾斜突条に隣接し、かつこの傾斜突条の曲がり面部と同じ形状の貫通孔をそれぞれ設ける構成とするとともに、この多数枚の傾斜突条は、この環状体の円周面（Ｘ面）の短手方向に対して傾斜する構造とし、更に前記貫通孔は、放射方向（Ｚ方向）より、俯瞰視して、方形状であり、かつこの貫通孔は、前記環状体の円周面（Ｘ面）の短手方向に対して、偏倚して開設されている構造とした遠心噴霧装置。
【発明の詳細な説明】
【発明の詳細な説明】
【０００１】
本発明は、ハウス、畜舎、工場等の建屋で冷房又は加湿を行うことで、建屋内の温湿度の偏差を解消し、作物、家畜の生育環境、労働環境の向上に寄与する遠心噴霧装置に関する。
【背景技術】
【０００２】
近時、天候、気象条件に影響を受けずに、建屋における作物を栽培し又は家畜を飼育し、年中に亘り、人々が望む食物を収穫するという目的のもと、ビニールハウス等のハウス栽培が重宝されてきた。しかし、これらのハウスは、天井面、妻面に換気扇、循環扇を設置しないとハウス内での外気及び／又は内気の送風又は循環がなく、略密封された空間であるため、ハウス栽培で生育する作物は疫病にかかりやすかった。次に、畜舎においても、畜舎内の換気が充分に行えないため、畜舎で飼育する豚、牛、鶏等の家禽が疾病にかかりやすく、その生育環境の改善が求められていた。
【０００３】
また、作物の種類によっては、温度と湿度の偏差により、作物の結露、着霜、葉核病、疫病等の疾病が発生し、収穫量の減少、良質な作物が収穫できなくなり、また、害虫が発生し、ハウス栽培の効率化が図れない等の様々な問題点があった。
【０００４】
また、前記と同様に、工場内においても、工場の占有面積が広大であると、その工場に設けた冷房機器だけ充分な冷房が行えず、作業者にとって、酷であり、昨今多発している熱中症等の病気を併発し、安全な労働環境が求められてきた。
【０００５】
そこで、このような問題を解決するための手段として、細霧及び／又は散霧を噴霧する装置又は方法が開示されていたので、本願発明に係る先行文献調査に基づく公報を幾つか下記に例示する。
【０００６】
文献（１）は、特開２００１−１４１２６８号の「加湿装置」がある。この概要は、送風ファンの送風作用で吸入口を通じて吸入された空気を吐出口へ吐出し、この送風ファンの下側に加湿用の水が貯蔵される水タンクを備えたケーシングと、水タンクの水を水道管に強制圧送するポンプと、ケーシングの吸入口及び吐出口の間に位置し、この送風ファンの中心から放射状に多数形成された長方形の水の噴出溝を備えた水を噴霧する回転体と、回転体の外周縁を覆うように形成し、かつこの円周方向に多数のスリット溝が形成され、ハウジングの一側面にネジ固定された固定体でなる構成であり、点検及び保守の作業性の向上を自由に移動可能な一体型の構造を提供することを意図する。
【０００７】
また、文献（２）は、実用新案登録第３０６８５２５号の「ミストファン及びミストファンキット」がある。この概要は、ミストファンは、送風扇を備えている送風扇枠の前面に、送風扇の羽根径に見合ったサイズで４個の噴出口を有するリング状の送液管を設置し、この送液管に設けられている水供給口から所定の圧力（１ｋｇｆ／ｃｍ２  〜８ｋｇｆ／ｃｍ２  ）をかけた水を供給すると共に、送風扇を回転させて、この風圧で、噴出口からミストを温室内に拡散し、このミストの気化潜熱により、温室内を冷房する。このミストファンには、下方に水受けを設置することにより、送液管において結露した水滴を、下方で受け止める構成であり、送液管内に消毒液や水を一定以上の圧力をかけて供給し、かつ送風扇を作動させて、送液管の噴出口から噴霧されるミストを、ビニールハウス、温室、又は畜舎内に拡散させ、室内の消毒や気化潜熱による冷房を意図する。
【０００８】
また、文献（３）は、再公表１９９８−０５４３２号の「散霧装置および散霧方法物」がある。この概要は、互いに対向配置された対向円盤の間に中心から外周方向に延びた複数の羽根を挟んで配置した羽根車を構成し、その中央に、給水用の開口を形成する。また、の対向円盤の間の空間に、給水開口から流入した水が衝突するように複数の邪魔部材を配設する構成であって、ビニールハウスないし温室、畜舎、農作物等に大量の噴霧を行う構成とし、簡易な装置によって、大量の細霧を発生させ、広い領域に散布可能とすることを意図する。
【０００９】
【特許文献１】特開２００１−１４１２６８号
【特許文献２】実用新案登録第３０６８５２５号
【特許文献３】再公表１９９８−０５４３２号
【発明の開示】
【発明が解決しようとする課題】
【００１０】
文献（１）は、水タンクから加湿用の水を圧送して、この水を噴出溝から粒子状にて、噴出する構造であるが、この構造における粒子の粒が粗くなり、大型粒子（微細粒子よりも大型な粒子）が発生すると考えられる。この大型粒子を、遠方まで飛散するには、例えば、回転板の回転数及び／又はスピード・送風量の拡大と、ポンプの大型化が必要となり、消費電力、エネルギーを消費すること、環境破壊を助成すること等の問題が発生する。そして、また、回転板の回転数を上げることから、通常の回転数では、飛散しなかった大型粒子の滴下による作物又は家畜へ水滴による濡れが発生し、この濡れによって、疾病発生が生じること、又は水滴の濡れがあることから、水漏れによる無駄があり、改良の余地が考えられる。
【００１１】
次に、文献（２）は、送風扇枠の前面に、４個の噴出口を有するリング状の送液管を設置し、これらの噴出口から水を噴霧する構造であるが、この構造上、噴出口の形状が大きいため、前記文献（１）と同様に粒子の大きさが大きくなり、大型粒子が発生すると考えられる。また、これらの噴出口を４個に分散して設けているが、送液管の噴出口以外からは、水の噴霧が行われないため、所定の水量から、一気に、多くの微細粒子が発生（噴出）しない課題と、また、仮に、回転羽根による送風量を増加しても、大型粒子のため、遠方まで噴霧されないこと、前述した噴霧能力では、充分な効果は期待できないこと、等の改良点が挙げられる。そして、この発明では、ミストファンキッドを、多数台設置が必要となり、メンテナンスの煩雑化、管理に手間がかかること、稼動コストの上昇等の問題も発生する。
【００１２】
また、文献（３）は、文献（１）、文献（２）と構成は異なるが、文献（１）と同様に大型粒子が発生し、前述したような各種の問題が発生すると考えられる。
【００１３】
そして、前記文献（１）〜文献（３）では、本発明が意図する構造・効果、即ち、大型粒子の微細粒子化を図るために、この大型粒子を、傾斜突条及び／又は貫通孔の構造、及び／又は、傾斜突条及び／又は貫通孔の形状の特性を発揮し、後述する（イ）〜（へ）の効果を達成することは、困難視される。
【００１４】
上記に鑑み、本発明は、下記の構造と、（イ）〜（へ）の効果の達成を意図する。
（イ）回転板と、環状体に設けた傾斜突条の傾斜面と、貫通孔の孔壁面で形成されるエリミネーター機構を介して、回転板からの風により、細霧粒子は、拡散（飛散）される。この細霧粒子は、略乾燥状態の傾斜面と、孔壁面との衝突し、微細粒子となり（微粒子化され）、この微細粒子は、回転板及び回転羽根（ファン）による送風で、ケーシングの内周面から、その外側に向かって飛散され、かつ遠方まで噴霧及び／又は拡散（飛散）される特徴と、また、水及び／又は空気の圧送損失の減少化が図れ、かつ、エネルギー資源の軽減化（省エネ化）に役立つ効果がある。
（ロ）環状体の円周面に、傾斜突条及び／又は貫通孔を繞設し、粒子を確実に微細粒子化することで、ケーシングの他方端、又は筒体の自由端側（先端側）から、水滴の垂れ防止と、作物又は家畜、機械部品等の各分野での農畜産作業者、工場作業者（当事者）等の濡れ防止と、作物・畜産の品質の劣化防止と、その濡れによる疾病防止を図り、また、当事者の安全な農作業・加工作業及び／又は優れた労働環境を提供できる特徴がある。
（ハ）傾斜突条及び／又は貫通孔を設け、圧送損失を回避することで、ハウス、畜舎、工場等の建屋における遠方への微細粒子噴射及び広域的な細霧冷房と、加湿効果が図れる。従って、例えば、ハウスの作物、又は畜舎の家畜の生育と、工場の機械部品の品質向上と、また、当事者の身体等に対して、効率よく細霧、噴霧が行えることで、作業の能率化と、職場環境維持と、健康維持等に寄与できる効果がある。
（ニ）環状体の円周面（Ｘ面）の短手方向に対して、多数枚の傾斜突条及び多数個の貫通孔を繞設し、この傾斜突条の傾斜面は、円周面（Ｘ面）の長手方向に対して、略９０°の曲がり（Ｙ）で立設する（斜設する）ことで、細霧粒子の衝突角度を維持しつつ（細霧粒子と傾斜面の衝突を図り）、この細霧粒子から変換された微細粒子は、傾斜突条の傾斜面における基端部（折曲げ部基端側）から自由端部及び折曲げ部の先端部に移動し、それぞれの先端部からの飛散を確保できる。従って、微細粒子の生成を促進し、かつ効率的な発生が図れる効果がある。そして、ハウス、畜舎では、保温性、通気性の向上等を介して、生育環境を整えることで、良質な農作物、又は畜産製品を提供でき、また、この農作物、又は畜産製品の収穫量の拡充を図れる実益がある。また、工場では、保温性、通気性、環境の向上等を介して、作業の能率化、生産性の向上が図れる効果がある。
（ホ）また、細霧粒子が、傾斜突条の傾斜面及び／又は貫通孔の孔壁面に衝突し、微細粒子となり、そして、この細霧粒子は、この傾斜突条の傾斜面が、円周面（Ｘ面）の短手方向に傾き、かつその長手方向に略９０°の曲がり（Ｙ）で立設する構造であるため、微細粒子となり、しかも回転板からの風の遠心力が働き、それぞれの先端部から飛散する。従って、傾斜突条の傾斜面及び／又は貫通孔の孔壁面には、細霧粒子、又はこの細霧粒子の結合で発生する大型粒子群が滞留することなく、この傾斜面及び／又は孔壁面は、略乾燥された状態となることから、微細粒子化と、傾斜面及び／又は孔壁面の衝突が、常時保証されること、微細粒子の発生が効率よく行え、かつ細霧粒子の微細化が図れる効果がある。
（へ）微細粒子の遠方までの飛散が可能となる。従って、例えば、ハウス内に設置する細霧装置、循環扇等の機材の減少化が図れること、また、メンテナンス・その他の管理の容易化、簡略化と、さらには、ランニングコスト・省エネルギー資源の低廉化・経済性に貢献できること等の効果がある。
（ト）前記目的を達成するのに最適な貫通孔の形状を提供できる効果がある。
【課題を解決するための手段】
【００１５】
請求項１の発明は、上記の（イ）〜（ト）の目的を達成することを意図する。
【００１６】
請求項１は、一方端に吸込口、他方端に吐出口を有するケーシングには、このケーシングに架承したモータと、このモータに設けた回転軸と、この回転軸に固止した回転羽根を設けるとともに、このケーシングには、間隔をおいて設けた基端側が閉塞された噴霧用の筒体と、この筒体に隙間を置いて内設した環状体と、この環状体に環状端部を近接して設けた回転板と、この回転板を回転するモータを設け、また、ケーシングには、前記回転板に向って、水を圧送するポンプを付設する構成とした遠心噴霧装置であって、
前記環状体には、この環状体の円周面（Ｘ面）の長手方向に対して、９０°の曲がり（Ｙ）で立設する多数枚の傾斜突条、及びこの多数枚の傾斜突条に隣接し、かつこの傾斜突条の曲がり面部と同じ形状の貫通孔をそれぞれ設ける構成とするとともに、この多数枚の傾斜突条は、この環状体の円周面（Ｘ面）の短手方向に対して傾斜する構造とし、更に前記貫通孔は、放射方向（Ｚ方向）より、俯瞰視して、方形状であり、かつこの貫通孔は、前記環状体の円周面（Ｘ面）の短手方向に対して、偏倚して開設されている構造とした遠心噴霧装置である。
【００１７】
【００１８】
【発明の効果】
【００１９】
請求項１の発明は、一方端に吸込口、他方端に吐出口を有するケーシングには、モータ、回転軸、並びに回転羽根を設け、かつケーシングには、間隔をおいて設けた基端側が閉塞された噴霧用の筒体に隙間を置いて内設した環状体と、環状体に環状端部を近接して設けた回転板と、回転板用のモータと、水を圧送するポンプを付設する構成とした遠心噴霧装置であって、
環状体には、環状体の円周面（Ｘ面）の長手方向に対して、９０°の曲がり（Ｙ）で立設する多数枚の傾斜突条、及び多数枚の傾斜突条に隣接し、かつ傾斜突条の曲がり面部と同じ形状の貫通孔をそれぞれ設ける構成とするとともに、多数枚の傾斜突条は、環状体の円周面（Ｘ面）の短手方向に対して傾斜する構造とし、更に貫通孔は、放射方向（Ｚ方向）より、俯瞰視して、方形状であり、かつ貫通孔は、環状体の円周面（Ｘ面）の短手方向に対して、偏倚して開設されている構造とした遠心噴霧装置である。
【００２０】
この請求項１の特徴と、実益は、
（イ）回転板と、環状体に設けた傾斜突条の傾斜面と、貫通孔の孔壁面で形成されるエリミネーター機構を介して、回転板からの風により、細霧粒子は、拡散（飛散）される。この細霧粒子は、略乾燥状態の傾斜面と、孔壁面との衝突し、微細粒子となり（微粒子化され）、この微細粒子は、回転板及び回転羽根（ファン）による送風で、ケーシングの内周面から、その外側に向かって飛散され、かつ遠方まで噴霧及び／又は拡散（飛散）される特徴と、また、水及び／又は空気の圧送損失の減少化が図れ、かつ、エネルギー資源の軽減化（省エネ化）に役立つ効果がある。
（ロ）環状体の円周面に、傾斜突条及び／又は貫通孔を繞設し、粒子を確実に微細粒子化することで、ケーシングの他方端、又は筒体の自由端側（先端側）から、水滴の垂れ防止と、作物又は家畜、機械部品等の各分野での農畜産作業者、工場作業者（当事者）等の濡れ防止と、作物・畜産の品質の劣化防止と、その濡れによる疾病防止を図り、また、当事者の安全な農作業・加工作業及び／又は優れた労働環境を提供できる特徴がある。
（ハ）傾斜突条及び／又は貫通孔を設け、圧送損失を回避することで、ハウス、畜舎、工場等の建屋における遠方への微細粒子噴射及び広域的な細霧冷房と、加湿効果が図れる。従って、例えば、ハウスの作物、又は畜舎の家畜の生育と、工場の機械部品の品質向上と、また、当事者の身体等に対して、効率よく細霧、噴霧が行えることで、作業の能率化と、職場環境維持と、健康維持等に寄与できる効果がある。
（ニ）環状体の円周面（Ｘ面）の短手方向に対して、多数枚の傾斜突条及び多数個の貫通孔を繞設し、この傾斜突条の傾斜面は、円周面（Ｘ面）の長手方向に対して、略９０°の曲がり（Ｙ）で立設する（斜設する）ことで、細霧粒子の衝突角度を維持しつつ（細霧粒子と傾斜面の衝突を図り）、この細霧粒子から変換された微細粒子は、傾斜突条の傾斜面における基端部（折曲げ部基端側）から自由端部及び折曲げ部の先端部に移動し、それぞれの先端部からの飛散を確保できる。従って、微細粒子の生成を促進し、かつ効率的な発生が図れる効果がある。そして、ハウス、畜舎では、保温性、通気性の向上等を介して、生育環境を整えることで、良質な農作物、又は畜産製品を提供でき、また、この農作物、又は畜産製品の収穫量の拡充を図れる実益がある。また、工場では、保温性、通気性、環境の向上等を介して、作業の能率化、生産性の向上が図れる効果がある。
（ホ）また、細霧粒子が、傾斜突条の傾斜面及び／又は貫通孔の孔壁面に衝突し、微細粒子となり、そして、この細霧粒子は、この傾斜突条の傾斜面が、円周面（Ｘ面）の短手方向に傾き、かつその長手方向に略９０°の曲がり（Ｙ）で立設する構造であるため、微細粒子となり、しかも回転板からの風の遠心力が働き、それぞれの先端部から飛散する。従って、傾斜突条の傾斜面及び／又は貫通孔の孔壁面には、細霧粒子、又はこの細霧粒子の結合で発生する大型粒子群が滞留することなく、この傾斜面及び／又は孔壁面は、略乾燥された状態となることから、微細粒子化と、傾斜面及び／又は孔壁面の衝突が、常時保証されること、微細粒子の発生が効率よく行え、かつ細霧粒子の微細化が図れる効果がある。
（へ）微細粒子の遠方までの飛散が可能となる。従って、例えば、ハウス内に設置する細霧装置、循環扇等の機材の減少化が図れること、また、メンテナンス・その他の管理の容易化、簡略化と、さらには、ランニングコスト・省エネルギー資源の低廉化・経済性に貢献できること等の効果がある。
（ト）前記目的を達成するのに最適な貫通孔の形状を提供できる効果がある。
【００２１】
【００２２】
【発明を実施するための最良の形態】
【００２３】
本発明の図面の説明をすると、図１は、遠心噴霧装置の一例を示した断面側面図、図２は、図１の正面図、図３は、図１の背面図、図４は、図１の環状体及び筒体の要部における一部を示した斜視拡大俯瞰図、図４−１は、環状体の一部の展開状態を示した拡大展開図、図４−２は、環状体の一部の展開状態を示した拡大展開図、図４−３は、環状体の一部の展開状態を示した要部拡大斜視図であり、微細粒子の飛散の流れを示す摸式図、図４−４は、環状体の組み立て状態を示した正面模式図、図５は、図１の側面図、図６は、使用状態を示した第一の参考斜視図、図７は、使用状態を示した第二の参考斜視図、図８−１は、本発明における微細粒子が傾斜突条及び貫通孔に衝突した際の粒子の流れを示した模式図、図８−２は、従来技術における微細粒子が、単に立設した突条及び貫通孔に衝突した際の大型粒子群の流れを示した模式図、図８−３は、図８−２の例における大型粒子群の流れを示した模式図である。
【００２４】
本発明は、細霧粒子及び／又は微細粒子を生成する遠心細霧装置と、この細霧粒子の生成と、拡散を図る回転板と、エリミネ―ター機構として機能する環状体を主構成とする。そして、各構成を分節にして説明し、その後、細霧粒子の生成と、微細粒子の生成、並びにその飛散（微細粒子の流れ）を説明である。
【００２５】
（１）遠心細霧装置の構造を説明する。
【００２６】
図１において、遠心細霧装置１について説明する。この遠心細霧装置１は、ハウス、工場、建物等（以下、建屋Ａとする）に設置するが、この遠心噴霧装置１は、ハウス、畜舎、工場等の、栽培、飼育、敷地面積の大きさ、温湿度の程度と、又は作物・家畜の生育条件、設置場所により、工場環境（作業）等により、その配置場所・配置数は、適宜変更される。
【００２７】
そして、この遠心細霧装置１の外郭体を説明すると、この外郭体は、開放型の略筒状のケーシング２であって、このケーシング２の一方端２ａを吸込口３に、また、他方端２ｂを吐出口４とする。このケーシング２の一方端２ａに設けた吸込口３から、建屋Ａの外気及び／又は滞留、循環する内気（外気とする）を吸込み、この外気は、他方端２ｂの吐出口４に向かって送られる。この送りを確保するために、このケーシング２内には、吸込み兼送風用の回転羽根６を設ける。この回転羽根６は、ケーシング２に架承したモータ８の出力軸７に軸止する構造とし、モータ８の駆動と、出力軸７の回転で、所定の回転数で回転する。従って、前述の如く、回転し、この回転を介して、吸込口３からの外気の吸込み、吐出口４に送風する。具体的には、この回転羽根６は、建屋Ａ内外気の吸込みと、この内外気の送風をする構造である。前述した内外気の送風を担持するために、回転羽根６は、ケーシング２の内周面との間に、間隔Ｓを設けて、架承されている。そして、この構造を採用することから、この回転羽根６のスムーズな回転が図れ、また、騒音発生を抑制できるものと考えられる。
【００２８】
このケーシング２の他方端２ｂの内方に、噴霧手段用の筒体１０を設ける。また、このケーシング２の内周面と、筒体１０との間には間隙Ｓを設ける。この間隙Ｓは、前記回転羽根６で生成された風の送風通路となる。尚、この筒体１０の基端側１０ａ（モータ側）には、その内周面に所定の間隔Ｓ１を設けて環状体１１が内装されている。さらに、この筒体１０には、その短手方向Ｘ１の自由端側１０ｂに帯状の環体部１０ｃを形成する。この環体部１０ｃは、ホース２１の貫通箇所となり、かつ回転板１２からの水滴が、垂れた場合は、この環体部１０ｃでキャッチし、水滴を受入れる構造（水の回収に役立つ構造）とし、水滴の垂れに起因する濡れと、この濡れに起因する各種の病気、品質劣化等の弊害を回避できる。そして、また、この筒体１０の短手方向Ｘ１の基端側１０ａに設けた内側鍔片１０ｄには、環状体１１の後方内鍔片１１ｅを添接し、内側鍔片１０ｄと後方内鍔片１１ｅを、螺子１４を介して一体とするとともに、この内側鍔片１０ｄと、後述する環状体１１の後面板１０００との間に隙間を形成し、この隙間に、回転板１２を設ける構造である。また、この環状体１１より延設した後面板１０００には、モータケース８０００と、モータケース８０００に設けたモータ８とを支持する（モータ８の支持は、ケーシング２とブラケットで、可能である）。尚、前記後端内鍔片１１ｅには、後面板１０００を取付けて、環状体１１の基端側１１ａを閉塞し、細霧粒子Ｃ、又は微細粒子Ｄの無駄な飛散をなくす。
【００２９】
前記環状体１１には、その内面より間隔Ｓ１をおいて、表面に凹凸条を備えた円盤（浅皿）形状の回転板１２を内装する。この環状体１１には、僅かな隙間を置いて、この回転板１２の環状端部１２ａを近接し、この回転板１２から飛散される細霧粒子Ｃを適確に、後述する傾斜突条及び／又は貫通孔の壁面に衝突させる。そして、この回転板１２の後端は、前述したように、筒体１０の後面板１０００でカバーされるとともに、この回転板１２は、前記モータ１３の出力軸１３ａに固止されている。従って、この回転板１２は、モータ１３の回転を介して、適宜の回転数で回る。尚、この回転板１２の円盤形状の凹凸条は、回転板１２の表面積の拡大が図れることから、例えば、給水手段から供給される水を、その広い表面で捉え、かつ水の滞留時間を確保できることと、水を放射方向（Ｚ方向）に拡散し、表面の端部に、確実に流動できること等の特徴がある。また、この回転板１２の凹凸条は、強度の向上及び／又は肉薄化が図れる特徴がある。尚、この凹凸条の形状及び／又は本数は、限定されない。
【００３０】
（２）回転板の構造を説明する。
【００３１】
回転板１２の中心ボス部は、モータ１３の出力軸１３ａに軸支されており、前述の如く、モータ１３の運転により回転する。なお、この回転体１２は、前記環状体１１に内装できる径であり、この環状体１１に接触せずに、スムーズかつ盲動することなく回転するので、水の効率的な飛散及び／又は噴霧化に役立つこと、並びに水の効率的な利用、又は風圧の損失の回避等が図れる。
【００３２】
そして、この回転板１２の表面には、水を供給するためホース２１の開口が隣接して設けられている。このホース２１の下端は、水を貯留するタンク２０にあり、このタンク２０は、ケーシング２の下部に添設、又は別置きされている。なお、このタンク２０の貯水量を適宜調整するため、タンク２０に水位センサ２２を配備する。また、図示しないが、この水位センサ２２に、電磁弁を配備した構成例では、水道等の給水設備から、随時、水の供給又は停止が図れ、有益であり、省人化に寄与できる。図中２３は、この水道等の給水設備から水の供給を行う供給口である。また、図中２５は、ポンプであり、前記供給口２３から供給された水を随時搬送する。
【００３３】
２４は、噴霧量を調整するために、ケーシング２に添設又は別置きされた調整バルブである。なお、この調整バルブ２４は、正転することでその噴霧量を減少し、反転することで噴霧量を増加させる構造とする。
【００３４】
（３）環状体の構造を説明する。
【００３５】
環状体１１は、帯体１１−１を環状に形成した構造であり、図示したように、この例においては、短手方向Ｘ１の後側を基端側１１ａで、前側を自由端側１１ｂとする。そして、この基端側１１ａには、帯体１１−１を曲折して形成した後端内鍔片１１ｅを備えている。また、環状体１１の基端側１１ａは、前記筒体１０に設けた後面板１０００で閉塞されている。尚、自由端側１１ｂは、帯体１１−１の前側であって、開放されているが、この自由端側１１ｂは、ケーシング２の他方側２ｂの内側（短手方向Ｘ１において、後側）に位置する。この環状体１１の基端側１１ａより自由端側１１ｂに亘った幅（帯体１１−１の帯幅）の略１／２の部位１１−２の円周方向（Ｘ方向）に形成する円周面（Ｘ面）には、この環状体１１の円周面（Ｘ面）の短手方向Ｘ１に対して、傾斜して設けた多数枚の傾斜突条１１０と、この多数枚の傾斜突条１１０の間に開設した多数個の貫通孔１１１を繞設する。そして、この傾斜突条１１０は、円周面（Ｘ面）の長手方向Ｘ２に対して、略９０の曲がり（Ｙ）で立設する（斜設する）構造である。この傾斜突条１１０の円周面（Ｘ面）の短手方向Ｘ１に対しての傾斜角度は、略５°〜略２０°程度とする。この傾斜角度は、一例であり、限定されないが、例えば、噴霧量と、微細粒子等の条件で、この傾斜角度を調整する。また、この傾斜角度の調整で、この遠心噴霧装置１の汎用性と、利便性を確保する。そして、図８−１に示したように、回転板１２より飛散された細霧粒子Ｃは、傾斜突条１１０の傾斜面１１０ａに衝突するか、又は貫通孔１１１の孔壁面１１１ａに衝突し、微細粒子Ｄとなるが、その流れの一例を説明する。この細霧粒子Ｃは、矢印「Ａ」の如く、傾斜面１１０ａの全平面、又は鋭角の基端側１１０ａ１に衝突し、微細粒子Ｄに変換された後、この傾斜面１１０ａの開放側の自由端側１１０ａ２、１１０ａ３等に、回転板１２の風圧で吹飛ばされ、この自由端側１１０ａ２、１１０ａ３等から、筒体１０の自由端側１０ｂを経由し（矢印「Ｂ」）、ケーシング１の吐出口４に向かって拡散される（矢印「Ｃ」）。また、この細霧粒子Ｃは、孔壁面１１１ａに衝突し、微細粒子Ｄに変換された後、その円周面から、前述と同様なルートを辿ることもあり得る。そして、この際に、常に、傾斜突条１１０の傾斜面１１０ａが、略乾燥した状態を確保できれば、微細粒子Ｄの確実な生成が図れる。しかし、この傾斜面１１０ａに、例えば、細霧粒子Ｃ、又は次に飛散される細霧粒子Ｃと、合体して、大型粒子群（図示しない）が存在する状態では、続いて飛散される細霧粒子Ｃが、直接、傾斜面１１０ａに衝突せず、残留する細霧粒子Ｃに衝突し、微細粒子化は図れない弊害がある。即ち、残留する細霧粒子Ｃ、又は大型粒子群（図示しない）がクッションの役目をして、微細粒子化を妨げることになる。従って、この傾斜面１１０ａは、常に、略乾燥した状態（細霧粒子Ｃと、合体して、大型粒子群（図示しない）がない状態）が必要である。そして、この略乾燥された傾斜突条１１０の傾斜面１１０ａ及び／又は貫通孔１１１の孔壁面１１１ａが存在することで、例えば、回転板１２より放射方向に飛散された細霧粒子Ｃと、傾斜面１１０ａ及び／又は貫通孔１１１の孔壁面��１１ａの衝突が常時、保証されることで、微細粒子化された微細粒子Ｄの発生と、この微細粒子Ｄとの発生の促進化（エリミネーター機構としての機能）が図れる特徴がある。
【００３６】
また、前記円周面（Ｘ面）の短手方向Ｘ１の傾斜角度は、前記の角度が望ましく、その効果は、例えば、回転板１２より飛散される細霧粒子Ｃが、傾斜突条１１０の傾斜面１１０ａ及び／又は貫通孔１１１の孔壁面１１１ａに衝突し、この衝突で発生する微細粒子Ｄの歩留まりの向上（微細粒子Ｄの発生が効率）により、また、回転板１２の回転数の減少化が可能と考えられること、さらに、ポンプ２５からの水及び／又は回転羽根６による空気の圧送損失の減少化に寄与できること、等の利点が挙げられる。しかし、諸所の条件、又は使用の方法により、この角度は、適宜変更（調節）される。
【００３７】
そして、他の例としては、傾斜突条１１０の傾斜面１１０ａが、略乾燥状態で、かつ前記角度を有することで、細霧粒子Ｃは、傾斜面１１０ａの衝突面積が大きくなり、その衝突の機会及び／又は程度が増加し、微細粒子Ｄの発生量が増加する。
【００３８】
尚、図８−２及び図８−３に、従来の従来技術（同じ名称を使用する）における細霧粒子０Ｃが、折曲げ突条０１１０及び貫通孔０１１１に衝突した際の細霧粒子０Ｃの流れを示した模式図であるが、この場合は、回転板（図示しない）から飛散した細霧粒子０Ｃが、折曲げ突条０１１０の平面０１１０ａ及び貫通孔０１１１の孔壁面０１１１ａに衝突するが、短手方向Ｘ１の傾斜がなく、長手方向Ｘ２の立上傾斜であることから、この平面０１１０ａに付着する確立が多い。それがため、この付着した細霧粒子０Ｃ（残留噴霧粒子００Ｃ）と、次に回転板から飛散される細霧粒子００Ｃと、合体して、大型粒子群０Ｅが形成される確立が高い。この大型粒子群０Ｅは、前述のように、作物又は家畜、機械部品、人体等の濡れが発生したり、作物等の品質の劣化、並びにこの濡れに起因する疾病が発生したりする問題が生じる。また、微細粒子の生成及び／又は微細粒子の量不足等の深刻な問題が発生する。さらには、回転板の通常の回転数では飛散しないため、回転数の増加が必要であり、エネルギーロスと、機器の故障の発生等の要因となり、多くの問題を抱えることになる。これに対して、本発明の微細粒子の発生メカニズムは、前述の通りであり、図８−１に示してある。尚、この傾斜突条１１０の傾斜面１１０ａ及び／又は貫通孔１１１の孔壁面１１１ａに衝突しない細霧粒子Ｃ、又は大型粒子群（図示しない）は、後述するように、帯環部１１２により、効率よく回収され、水粒子の再利用が図れることなどの様々な効果を生じる。尚、この噴霧粒子Ｃの中で、傾斜面１１０ａ及び／又は貫通孔１１１の孔壁面１１１ａに衝突しない粒子は、放射方向に風圧により流され、帯環部１１２で回収される。この帯環部１１２を詳細に説明すると、この環状体１１の自由端側１１ｂより略中心位置（短手方向Ｘ１の略２分の１）で、この傾斜突条１１０及び／又は貫通孔１１１が設けられてない部位（外周面）に帯環部１１２を設ける。この帯環部１１２は、傾斜突条１１０及び／又は貫通孔１１１を介して、飛散及び／又は噴霧されなかった水を、筒体１０の下端部に設けた水回収用の回収孔１００に、誘導するものであり、水道としての役割をする。この構造で、環状体１１から、筒体１０への水の流れ（水滴の流れ）と、水滴の飛散又は漏れ防止等の各種弊害からの解消を図る。
【００３９】
そして、環状体１１の自由端側１１ｂに設けた帯環部１１２は、この環状体１１を流れる水の道とする。そして、この環状体１１の表面に、梨子地（ショットブラスト）加工、電飾加工等の加工を施し、その表面を微細な凹凸形状を形成することで、水の滞留時間の確保、及び／又は急速な流下を回避すること、等を意図する。また、この環状体１１に設けた多数個の傾斜突条１１０の表面に、梨子地加工、電飾加工等の加工を施し、その表面を微細な凹凸形状を形成することで、細霧粒子Ｃとの衝突度数の向上を図り、微粒子化を促進すること、等を意図する。
【００４０】
前記回転板１２の回転により拡散又は飛散（飛散とする）された水が、傾斜突条１１０と、この凹凸形状との衝突を介して、微細粒子Ｄとなる。また、この凹凸形状は、微細粒子Ｄを、環状体１１及び／又は傾斜突条１１０の表面に残留させるための効果と、この微細粒子Ｄの表面張力による球体化を回避し、この傾斜突条１１０が傾斜角度を設けたことで、水滴の発生回避と、水滴の飛散及び／又は滴下をなくすこと、並びにこれらに纏わる前述の各弊害解消と、水の有効利用と、また、省エネルギー及び／又は環境維持の確保等を図ることができる。
【００４１】
尚、この貫通孔１１１の形状は、適宜変更ができるが、貫通孔１１１の面積確保（微細粒子Ｄの飛散エリア確保）と、傾斜突条１１０を立ち上げ、この立ち上げの容易化、また、製造の容易化等を意図して、足付きの方形状スペースＨを切落として形成する。このような構造において、この傾斜突条１１０を、前述の如く、所定の傾斜角度に立ち上げ（曲がり）を形成し、その後に、板体１１ｆの一方端と他方端を係止し、環状体１１を完成する。図４−１、及び図４−２、図４−３に関しては、貫通孔１１１を明瞭にするため、ハッチンを付した。そして、傾斜突条１１０の曲がり面部１１０ｄは、貫通孔１１１の開口孔と相似形とし、成形の確実性と、容易化を図るとともに、この曲がり面部１１０ｄを形成する。
【００４２】
（４）遠方噴霧装置における流れを説明する。
【００４３】
この遠方噴霧装置の構造は、詳述したので、この遠方噴霧装置の水の流れ、風の流れについて、以下に説明する。
【００４４】
まず、回転羽根６の吸引により吸い込まれた建屋Ａの内気及び／又は外気は、ケーシング２の吸込口３から吐出口４の方向へと順送される。
【００４５】
また、前記タンク２０よりホース２１を介して圧送された水は、回転板１２の回転（遠心力）で、放射方向（Ｚ方向）へと、細霧粒子Ｃとなって、飛散される。この飛散した細霧粒子Ｃは、傾斜突条１１０の傾斜面１１０ａ及び／又は貫通孔１１１の孔壁面１１１ａに衝突し易くなり、また、飛散した大型粒子群（図示しない）は、放射方向（Ｚ方向）より放射状に飛散することで、略乾燥状態の傾斜突条１１０の傾斜面１１０ａ及び／又は貫通孔１１１の孔壁面１１１ａに衝突し、細霧粒子Ｃの微細粒子化を促進し、かつエリミネーターとして機能を充分、発揮できることから、微粒子化された微細粒子Ｄの発生と、この発生の促進化が図れる。
【００４６】
この生成された微細粒子Ｄは、前記環状体１１の帯状の帯環部１１２の表面に形成された凹凸形状のため、この帯環部１１２に残留し、その後、送風により、吐出口４から送出（排出）される。尚、この送風で送出できなかった水滴又は大型粒子群（図示しない）は、帯環部１１２を流れ、筒体１０の下部に設けた水回収用の回収孔１００まで流下する。この回収孔１００まで流下した水は、タンク２０に貯留され、噴霧用の水として、再利用される。この帯環部１１２を流れる水は、筒体１０にも流れこむ構造であり、水が大量に流れこんだ場合には、その水が筒体１０外へと流出する危険性も生じる弊害が考えられる。そこで、本発明は、筒体１０の開放側の下端部に、水漏れ防止用の防止壁１０１を設置する。これにより、この筒体１０より、その外側に、水が溢れることなく、回収孔１００によって、スムーズに回収される。
【００４７】
（５）その他の構造を説明する。
【００４８】
このケーシング２には、その上部に吊り具４０を係止するための係止部材４１を数箇所備えており、この係止部材４１を介して、建屋Ａにおける作業者が望む位置・向きに設置することが可能となり、重宝すること、微細粒子Ｄを自由、かつ広範囲に噴霧できること、又は取付け・メンテナンスの有効性が確保できる。
【００４９】
また、この吊り具４０の長さを変更することにより、遠心細霧装置１は、水平状態から俯角調整を行うことも可能である。この俯角調整が可能となることより、作物へ直接的な加湿及び冷却が行え、遠方まで微細粒子Ｄを噴霧することで、保温性、通気性の向上等の生育環境を整えることを図り、良質な作物が提供でき、作物の収穫量の拡充を図ることができる。尚、この俯角幅は、帯環部１１２が、水の流路となることを考慮すると、水の溢れに関して考慮する必要があるが、原則として、限定されない。また、この水（水滴）の溢れを防止するためにも、防止壁１０１の高さ、大きさ、形状を変更することも考える必要がある。尚、その他としては、遠心細霧装置１の設置箇所は、その敷地内の面積等の各種条件によって、変更される。そして、場合により、遠心細霧装置１から吐出口される微細粒子Ｄ及び／又は風の衝突で、室内の空気の流れを撹乱し、効率よく細霧冷房を図ることもあり得る。
【図面の簡単な説明】
【００５０】
【図１】図１は、遠心噴霧装置の一例を示した断面側面図
【図２】図２は、図１の正面図
【図３】図３は、図１の背面図
【図４】図４は、図１の環状体及び筒体の要部における一部を示した斜視拡大俯瞰図
【図４−１】図４−１は、環状体の一部の展開状態を示した拡大展開図
【図４−２】図４−２は、環状体の一部の展開状態を示した拡大展開図
【図４−３】図４−３は、環状体の一部の展開状態を示した要部拡大斜視図であり、微細粒子の飛散の流れを示す摸式図
【図４−４】図４−４は、環状体の組み立て状態を示した正面模式図
【図５】図５は、図１の側面図
【図６】図６は、使用状態を示した第一の参考斜視図
【図７】図７は、使用状態を示した第二の参考斜視図
【図８−１】図８−１は、本発明における微細粒子が傾斜突条及び貫通孔に衝突した際の粒子の流れを示した模式図
【図８−２】図８−２は、従来技術における微細粒子が単に立設した突条及び貫通孔に衝突した際の大型粒子群の流れを示した模式図
【図８−３】図８−３は、図８−２の例における大型粒子群の流れを示した模式図
【符号の説明】
【００５１】
１          遠心細霧装置
２          ケーシング
２ａ        一方端
２ｂ        他方端
３          吸込口
４          吐出口
６          回転羽根
７          回転軸
８          モータ
８０００    モータケース
１０        筒体
１０ａ      基端側
１０ｂ      自由端側
１０ｃ      環体部
１０ｄ      内側鍔片
１００      回収孔
１０１      防止壁
１０００    後面板
１１        環状体
１１−１    帯体
１１−２    幅の略１／２の部位
１１ａ      基端側
１１ｂ      自由端側
１１ｅ      後端内鍔片
１１ｆ      板体
１１０      傾斜突条
１１０ａ    傾斜面
１１０ａ    基端側
１１０ａ２  自由端側
１１０ａ３  自由端側
１１０ｂ    先端部
１１０ｂ１  折曲げ先端部
１１０ｃ    基端部
１１０ｄ    曲がり面部
１１１      貫通孔
１１１ａ    孔壁面
１１２      帯環部
０Ｃ        細霧粒子
００Ｃ      残留噴霧粒子
０Ｅ        大型粒子群
０１１０    折曲げ突条
０１１０ａ  平面
０１１１    貫通孔
０１１１ａ  孔壁面
１２        回転板
１３        モータ
１３ａ      出力軸
１４        螺子
２０        タンク
２１        ホース
２２        水位センサ
２３        供給口
２４        調整バルブ
２５        ポンプ
４０        吊り具
４１        係止部材
Ａ          建屋
Ｃ          噴霧粒子
Ｄ          微細粒子
Ｓ          間隙
Ｓ１        間隙
Ｈ          方形状スペース
【図１】
0005209452.tif 000002
【図２】
0005209452.tif 000003
【図３】
0005209452.tif 000004
【図４】
0005209452.tif 000005
【図４−１】
0005209452.tif 000006
【図４−２】
0005209452.tif 000007
【図４−３】
0005209452.tif 000008
【図４−４】
0005209452.tif 000009
【図５】
0005209452.tif 000010
【図６】
0005209452.tif 000011
【図７】
0005209452.tif 000012
【図８−１】
0005209452.tif 000013
【図８−２】
0005209452.tif 000014
【図８−３】
0005209452.tif 000015